Podtech/llm-jp-corpus-v4-ja_patent huggingface dataset:
【手続補正書】
【提出日】平成22年11月10日(2010.11.10)
【手続補正１】
【補正対象書類名】特許請求の範囲
【補正対象項目名】全文
【補正方法】変更
【補正の内容】
【特許請求の範囲】
【請求項１】
ビームを射出する複数の光源と、
前記複数の光源から射出されたビームを偏向する光偏向ユニットと、
前記光偏向ユニットにおいて偏向されたビームを該ビームに対応する感光体の表面に結像する複数の結像部材と、
を備える光学走査装置において、
前記光偏向ユニットは、
表面にビームの偏向面が形成された第１の偏向子及び第２の偏向子と、
駆動力を受ける駆動子と、
前記駆動子を駆動させる駆動手段と、
を有し、
前記第１の偏向子、前記第２の偏向子、及び前記駆動子がねじりバネによって直列に連結されると共に、
前記駆動手段が前記駆動子を駆動させることで、前記第１の偏向子及び前記第２の偏向子が前記ねじりバネの揺動軸周りに揺動可能であることを特徴とする光学走査装置。
【請求項２】
前記駆動子は、
前記第１の偏向子と前記第２の偏向子の間に配置されていることを特徴とする請求項１に記載の光学走査装置。
【請求項３】
前記第１の偏向子と前記第２の偏向子の間には、
ビームの偏向を行わず、かつ前記駆動手段から駆動力を受けることもない可動子が少なくとも１つ前記ねじりバネによって連結されていることを特徴とする請求項１または２に記載の光学走査装置。
【請求項４】
前記第１の偏向子または前記第２の偏向子のいずれか一方と前記駆動子が、前記ねじりバネを介さず一体に設けられていることを特徴とする請求項１または２に記載の光学走査装置。
【請求項５】
前記偏向面は、
前記第１の偏向子及び前記第２の偏向子の表裏の両面に形成されることを特徴とする請
求項１乃至４のいずれか１項に記載の光学走査装置。
【請求項６】
ビームを射出する複数の光源と、
前記複数の光源から射出されたビームを偏向する光偏向ユニットと、
前記光偏向ユニットにおいて偏向されたビームを該ビームに対応する感光体の表面に結像する複数の結像部材と、
を備える光学走査装置において、
前記光偏向ユニットは、
表面にビームの偏向面が形成された第１の偏向子、第２の偏向子、第３の偏向子、及び第４の偏向子と、
駆動力を受ける駆動子と、
前記駆動子を駆動させる駆動手段と、
を有し、
前記第１の偏向子、前記第２の偏向子、前記第３の偏向子、前記第４の偏向子、及び前記駆動子がねじりバネによって直列に連結されると共に、
前記駆動手段が前記駆動子を駆動させることで、前記第１の偏向子、前記第２の偏向子、前記第３の偏向子、及び前記第４の偏向子が、前記ねじりバネの揺動軸周りに揺動可能であることを特徴とする光学走査装置。
【請求項７】
前記第１の偏向子、前記第２の偏向子、前記第３の偏向子、及び前記第４の偏向子の間には、
ビームの偏向を行わず、かつ前記駆動手段から駆動力を受けることもない可動子、もしくは前記駆動子が連結されていることを特徴とする請求項６に記載の光学走査装置。
【請求項８】
前記偏向面は、
前記第１の偏向子、前記第２の偏向子、前記第３の偏向子、及び前記第４の偏向子の表裏の両面に形成されていることを特徴とする請求項６または７に記載の光学走査装置。
【請求項９】
前記ねじりバネの端部は、
前記ねじりバネを取り囲むプレート部材の内周側に保持され、
前記プレート部材と前記駆動手段を一体に保持する保持部材が設けられていることを特徴とする請求項１乃至８のいずれか１項に記載の光学走査装置。
【請求項１０】
請求項１乃至９のいずれか１項に記載の光学走査装置と、
前記光学走査装置で偏向されたビームが表面に結像する複数の感光体と、
前記感光体に形成された画像をシート材上に転写する転写手段と、
を備えることを特徴とする画像形成装置。
【手続補正２】
【補正対象書類名】明細書
【補正対象項目名】００２７
【補正方法】変更
【補正の内容】
【００２７】
上記目的を達成するために本発明にあっては、ビームを射出する複数の光源と、前記複数の光源から射出されたビームを偏向する光偏向ユニットと、前記光偏向ユニットにおいて偏向されたビームを該ビームに対応する感光体の表面に結像する複数の結像部材と、を備える光学走査装置において、前記光偏向ユニットは、表面にビームの偏向面が形成された第１の偏向子及び第２の偏向子と、駆動力を受ける駆動子と、前記駆動子を駆動させる駆動手段と、を有し、前記第１の偏向子、前記第２の偏向子、及び前記駆動子がねじりバ
ネによって直列に連結されると共に、前記駆動手段が前記駆動子を駆動させることで、前記第１の偏向子及び前記第２の偏向子が前記ねじりバネの揺動軸周りに揺動可能であることを特徴とする。
【手続補正３】
【補正対象書類名】明細書
【補正対象項目名】００２８
【補正方法】変更
【補正の内容】
【００２８】
また、ビームを射出する複数の光源と、前記複数の光源から射出されたビームを偏向する光偏向ユニットと、前記光偏向ユニットにおいて偏向されたビームを該ビームに対応する感光体の表面に結像する複数の結像部材と、を備える光学走査装置において、前記光偏向ユニットは、表面にビームの偏向面が形成された第１の偏向子、第２の偏向子、第３の偏向子、及び第４の偏向子と、駆動力を受ける駆動子と、前記駆動子を駆動させる駆動手段と、を有し、前記第１の偏向子、前記第２の偏向子、前記第３の偏向子、前記第４の偏向子、及び前記駆動子がねじりバネによって直列に連結されると共に、前記駆動手段が前記駆動子を駆動させることで、前記第１の偏向子、前記第２の偏向子、前記第３の偏向子、及び前記第４の偏向子が、前記ねじりバネの揺動軸周りに揺動可能であることを特徴とする。
【手続補正４】
【補正対象書類名】明細書
【補正対象項目名】００２９
【補正方法】変更
【補正の内容】
【００２９】
また、本発明の画像形成装置にあっては、上記に記載の光学走査装置と、前記光学走査装置で偏向されたビームが表面に結像する複数の感光体と、前記感光体に形成された画像をシート材上に転写する転写手段と、を備えることを特徴とする。
【手続補正書】
【提出日】平成22年9月16日(2010.9.16)
【手続補正１】
【補正対象書類名】特許請求の範囲
【補正対象項目名】全文
【補正方法】変更
【補正の内容】
【特許請求の範囲】
【請求項１】
光を走査する光走査手段と、
一方の面が前記光走査手段によって光が走査される光走査面となるスクリーンとを有し、
前記光走査手段は、光を出射する光出射部、該光出射部から出射した光を反射する光反射部を備えた可動板が回動可能に設けられたアクチュエータ、該アクチュエータを前記可動板の回動中心軸と平行な線分に対して直交する軸まわりに回転可能に支持する回転体を含み、
前記可動板を回動させることにより、前記光反射部で反射した光を前記光走査面において第１の方向に走査し、
前記回転体を回転させることにより、前記光反射部で反射した光を前記光走査面において前記第１の方向と直交する第２の方向に走査することを特徴とする画像表示装置。
【請求項２】
前記スクリーンは、可撓性を有していて、前記光走査面が前記回転体と反対側へ凸の略球面をなし得るよう形成され、前記光走査面の曲率を変更する曲率変更手段を有している請求項１に記載の画像表示装置。
【請求項３】
前記光走査手段によって前記スクリーンに描画される画像の拡大倍率に対応して、前記光走査面の曲率を変更する請求項２に記載の画像表示装置。
【請求項４】
前記スクリーンは、前記光走査面が略平面をなす第１の状態と、前記光走査面が略球面をなす第２の状態と、前記光走査面が前記第２の状態よりも曲率の大きい略球面をなす第３の状態とをとり得ることができ、前記曲率変更手段は、前記第１の状態と前記第２の状態と前記第３の状態とを切り換えるよう構成されている請求項２または３に記載の画像表示装置。
【請求項５】
前記スクリーンの前記光走査面と反対の面は、押圧操作される入力面であり、
前記入力面の押圧による、前記光反射部と前記光走査面との間の前記光の光路長の変化に基づいて、前記入力面の押圧位置を検出する押圧位置検出手段を有している請求項１ないし４のいずれかに記載の画像表示装置。
【請求項６】
前記光反射部から出射してから、前記光走査面で反射し、再び前記光反射部に戻ってくるまでの時間に基づいて、前記光路長の変化を検知する請求項５に記載の画像表示装置。
【請求項７】
前記押圧位置検出手段は、前記光出射部と前記光反射部との間の光路の途中または分岐した位置に設けられ、前記光走査面で反射し再び前記光反射部に戻ってきた光を受光する受光部と、前記光出射部から光が出射されるタイミングとその光が前記受光部で受光されたタイミングとの時間差を算出する時間差算出部と、前記時間差算出部による算出結果に基づいて前記入力面の押圧位置を検出する検出部とを有している請求項６に記載の画像表示装置。
【請求項８】
前記時間差算出部は、前記光走査面の所定箇所における前記時間差を所定の時間間隔毎に算出し、前記検出部は、前記時間差算出部がｎ回目に算出した前記時間差と、ｎ＋１回目に算出した前記時間差との差を求め、その差が所定の閾値を超えた場合に当該箇所を前記押圧位置として検出する請求項７に記載の画像表示装置（ただし、ｎは自然数である）。
【請求項９】
前記検出部は、さらに、前記時間差算出部がｎ回目に算出した前記時間差と、ｎ＋１回目に算出した前記時間差との差から前記押圧の押圧速度を求める請求項８に記載の画像表示装置（ただし、ｎは自然数である）。
【請求項１０】
前記スクリーンは、伸縮性を有し、前記スクリーンの内側には、気体が充填された充填部が形成され、前記曲率変更手段は、前記充填部内の圧力を調整することにより、前記光走査面の前記曲率を変更する請求項２ないし９のいずれかに記載の画像表示装置。
【請求項１１】
前記スクリーンは、伸縮性を有し、
前記曲率変更手段は、前記スクリーンの中央部から放射状に設けられた複数の超弾性合金と、該複数の超弾性合金を加熱または冷却する加熱冷却手段とを有し、該加熱冷却手段により、前記超弾性合金の形状を変化させ、それにより、前記光走査面の前記曲率を変更するよう構成されている請求項２ないし９のいずれかに記載の画像表示装置。
【請求項１２】
前記光反射部から前記光走査面の所定箇所までの距離に基づいて、前記光走査面の前記曲率を検知する曲率検知手段を有している請求項２ないし１１のいずれかに記載の画像表示装置。
【手続補正書】
【提出日】平成22年7月22日(2010.7.22)
【手続補正１】
【補正対象書類名】明細書
【補正対象項目名】０２８７
【補正方法】変更
【補正の内容】
【０２８７】
以下に実施例に用いた樹脂（Ａ）の構造および、分子量、分散度を示す。
【手続補正２】
【補正対象書類名】明細書
【補正対象項目名】０２９７
【補正方法】変更
【補正の内容】
【０２９７】
【表１】
2009109594.tif 000001
【手続補正書】
【提出日】平成22年8月16日(2010.8.16)
【手続補正１】
【補正対象書類名】特許請求の範囲
【補正対象項目名】全文
【補正方法】変更
【補正の内容】
【特許請求の範囲】
【請求項１】
弾性栓体と、弾性栓体の周縁部を接液面側から内壁で保持する下側枠部及び針刺面側から内壁で保持する上側枠部を備えた外枠体を有する医療用キャップであって、
前記下側枠部は、
第１上金型と共通下金型を用いて、前記弾性栓体の載置が可能な載置部を内壁に有するように成形されたものであり、
前記上側枠部は、
前記下側枠部の載置部上に、前記弾性栓体をその針刺面を上向きにして載置した後、前記弾性栓体の直径よりも小さい直径を有する突起部を有し、かつ、前記共通下金型と組み合わせた際に前記上側枠部の成形用のキャビティを形成可能にする第２上金型を用いて、前記突起部が前記弾性栓体の中央部を押圧して下方に押し出すように前記共通下金型と型閉じし、
更に、前記キャビティ内に溶融樹脂を射出して成形されたものであり、
前記弾性栓体は、前記上側枠部との接触面で融着されており、かつ、前記下側枠部との接触面で非融着され、
前記弾性栓体の接液面は、前記下側枠部側の方向に向かって凸状となっている医療用キャップ。
【請求項２】
前記弾性栓体が、熱可塑性エラストマーを含み構成される請求項１に記載の医療用キャップ。
【請求項３】
前記上側枠部は、前記弾性栓体を密封する為のピールフィルムを貼付可能な貼付部を有しており、当該ピールフィルムを貼付部に剥離可能に貼り付けた際に、弾性栓体と接触しない請求項１又は２に記載の医療用キャップ。
【手続補正２】
【補正対象書類名】明細書
【補正対象項目名】発明の名称
【補正方法】変更
【補正の内容】
【発明の名称】医療用キャップ
【手続補正３】
【補正対象書類名】明細書
【補正対象項目名】０００１
【補正方法】変更
【補正の内容】
【０００１】
本発明は、輸液容器、採血管等の医療用キャップ及びその製造方法に関する。特に、医療用において針刺し可能な栓体を備えた医療用キャップに関する。
【手続補正４】
【補正対象書類名】明細書
【補正対象項目名】０００６
【補正方法】変更
【補正の内容】
【０００６】
本発明は前記問題点に鑑みなされたものであり、その目的は、弾性栓体と、その周縁部を内壁で保持する外枠体との密着性に優れ、針刺しによって弾性栓体と外枠体の位置ずれがなく、密閉性の確保に優れた医療用キャップを提供することにある。
【手続補正５】
【補正対象書類名】明細書
【補正対象項目名】０００７
【補正方法】変更
【補正の内容】
【０００７】
本願発明者等は、前記従来の問題点を解決すべく、医療用キャップについて検討した。その結果、下記構成を採用することにより、前記目的を達成できることを見出して、本発明を完成させるに至った。
【手続補正書】
【提出日】平成21年12月7日(2009.12.7)
【手続補正１】
【補正対象書類名】特許請求の範囲
【補正対象項目名】請求項２１
【補正方法】変更
【補正の内容】
【請求項２１】
コンピュータ可読記録媒体に記録されており、周辺機器および端末と通信可能な情報処理装置により実行可能なプログラムあって、
前記周辺機器から該周辺機器に関する情報を受信して保存する機器情報保存工程と、
前記端末および前記周辺機器間において送受信されているメッセージ情報を周辺機器毎に数えることにより得られる周辺機器毎の共有度を計数する計数工程と、
前記端末から、前記機器情報保存工程にて保持されている周辺機器に関する情報を要求する要求メッセージを受信する要求メッセージ受信工程と、
前記要求メッセージ受信工程により前記要求メッセージを受信することに応じて、前記計数工程により得られる周辺機器毎の共有度に従って選択された周辺機器に関する情報を、前記端末に送信する応答工程と
を有する情報処理方法を、コンピュータに実行させるための制御プログラム。
【手続補正２】
【補正対象書類名】特許請求の範囲
【補正対象項目名】請求項２５
【補正方法】変更
【補正の内容】
【請求項２５】
コンピュータ可読記録媒体に記録されており、周辺機器および端末と通信可能な情報処理装置において実行可能な制御プログラムあって、
前記周辺機器から該周辺機器に関する機能情報を受信して保存する保存工程と、
前記端末から要求される周辺機器に関する機能情報を要求する第１メッセージの受信に従って前記保存工程によって保存された機能情報を前記端末に送信する第１応答工程と、
前記端末から要求される周辺機器に関する機能情報を要求する前記第１メッセージ数に基づいて推奨すべきデバイスの優先度を更新する更新工程と、
前記端末から、推奨する周辺機器のリストを要求する第２メッセージを受信する要求メッセージ受信工程と、
前記要求メッセージ受信工程により前記第２メッセージを受信することに応じて、前記更新工程によって更新された優先度に従って決定される周辺機器のリストを、前記端末に送信する第２応答工程とを有する情報処理方法を、コンピュータに実行させるための制御プログラム。
【手続補正書】
【提出日】平成22年1月21日(2010.1.21)
【手続補正１】
【補正対象書類名】明細書
【補正対象項目名】００５３
【補正方法】変更
【補正の内容】
【００５３】
（実施例７）
水素吸蔵合金粉末に水を加えてペースト状にし、多孔度９５％の発泡状のニッケル多孔体へ充填、乾燥、加圧後、所定の寸法に切断して水素吸蔵合金負極を作成した。正極は球状水酸化ニッケル粉末とコバルト粉末と水酸化コバルト粉末とを重量比１００：７：５の割合で混合し、これに水を加えてペースト状にした後、電極基体である多孔度９５％の発泡状ニッケル多孔体へ充填し、乾燥、加圧後、所定の寸法に裁断してニッケル正極を作成した。正極、負極とも基体の長辺方向の一端に連続して１０ｍｍ幅の露出部ができるように塗布して作成している。
【手続補正２】
【補正対象書類名】明細書
【補正対象項目名】００６１
【補正方法】変更
【補正の内容】
【００６１】
（実施例１１）
正極および負極基体の露出部側における多孔質膜の端面に対してセパレータの端面はそれぞれ２ｍｍずつ外方に位置するように構成したこと以外実施例７と同様にしてニッケル水素蓄電池を作製した。
【手続補正３】
【補正対象書類名】明細書
【補正対象項目名】００７３
【補正方法】変更
【補正の内容】
【００７３】
【図１】本発明の実施形態における密閉型電池の電極の構成を示した断面図である。
【図２】本発明の実施形態におけるタブレス構造の電極群を集電端子に溶接した状態を示した斜視図である。
【図３】本発明の実施例におけるリチウムイオン二次電池の評価結果を示した図である。
【図４】本発明の実施例におけるリチウムイオン二次電池の評価結果を示した図である。
【図５】本発明の実施例におけるニッケル水素電池の評価結果を示した図である。
【図６】本発明の実施例におけるニッケル水素電池の評価結果を示した図である。
【手続補正書】
【提出日】平成22年2月1日(2010.2.1)
【手続補正１】
【補正対象書類名】特許請求の範囲
【補正対象項目名】全文
【補正方法】変更
【補正の内容】
【特許請求の範囲】
【請求項１】
液晶表示装置用のバックライトユニットにおいて、
内部に放電ガスが充填されたチューブと、
前記チューブの一方の端部が嵌入された空洞共振器と、
マイクロ波を生成して前記空洞共振器に供給するためのマグネトロンと、
前記マグネトロンを駆動するためのマグネトロン駆動器と、
前記チューブから発せられる紫外線光を可視光に変換するための蛍光層と、を備えることを特徴とするバックライトユニット。
【請求項２】
前記チューブの上部に配置された拡散板をさらに備え、前記蛍光層は、前記拡散板の片面に形成されていることを特徴とする請求項１に記載のバックライトユニット。
【請求項３】
前記チューブの下部に配置された反射板をさらに備え、前記反射板は、紫外線反射板を備えることを特徴とする請求項２に記載のバックライトユニット。
【請求項４】
前記蛍光層は、チューブの内側または外側の表面に形成されていることを特徴とする請求項１に記載のバックライトユニット。
【請求項５】
前記チューブが一方の側面に隣設される導光板をさらに備え、前記蛍光層は、チューブが隣設される前記導光板の一方の側面に形成されていることを特徴とする請求項１に記載のバックライトユニット。
【請求項６】
前記チューブが一方の側面に隣設される導光板をさらに備え、前記蛍光層は、前記導光板の上部面に形成されていることを特徴とする請求項１に記載のバックライトユニット。
【請求項７】
前記導光板の下部に配置された反射板をさらに備え、前記反射板は、紫外線反射板を備えることを特徴とする請求項６に記載のバックライトユニット。
【請求項８】
前記チューブの周囲に配置されて入射光を前記導光板の一方の側面に向けて反射させるチューブ反射板をさらに備え、前記チューブ反射板は、紫外線反射板を備えることを特徴とする請求項５〜７のいずれか１項に記載のバックライトユニット。
【請求項９】
前記チューブの一方の端部は空洞共振器内に８〜１２ｍｍの深さだけ嵌入されることを特徴とする請求項１〜７のいずれか１項に記載のバックライトユニット。
【請求項１０】
前記空洞共振器の一方の側面には多数のチューブ取付穴が形成され、前記チューブ取付穴のそれぞれに前記チューブの一方の端部が嵌入されていることを特徴とする請求項１〜７のいずれか１項に記載のバックライトユニット。
【手続補正２】
【補正対象書類名】明細書
【補正対象項目名】発明の名称
【補正方法】変更
【補正の内容】
【発明の名称】バックライトユニット
【手続補正３】
【補正対象書類名】明細書
【補正対象項目名】０００１
【補正方法】変更
【補正の内容】
【０００１】
本発明はバックライトユニットに係り、さらに詳しくは、バックライトユニットの光源としてマイクロ波プラズマ紫外線ランプを採用したバックライトユニットに関する。
【手続補正書】
【提出日】平成21年12月7日(2009.12.7)
【手続補正１】
【補正対象書類名】明細書
【補正対象項目名】発明の名称
【補正方法】変更
【補正の内容】
【発明の名称】スマートカード認証装置
【手続補正２】
【補正対象書類名】特許請求の範囲
【補正対象項目名】全文
【補正方法】変更
【補正の内容】
【特許請求の範囲】
【請求項１】
スマートカードを認証するよう構築されたスマートカード認証プロセスを実行するスマートカード認証装置であって、当該スマートカード認証装置は、
スマートカードを識別し、
前記スマートカードが当該スマートカード認証装置のデフォルトコンフィギュレーションによってサポートされているか否かを確認し、
前記スマートカードがデフォルトコンフィギュレーションによってサポートされていた場合には、前記デフォルトコンフィギュレーションで用意されている命令を用いて前記スマートカードから認証に関連するデータを読み取り、
前記スマートカードがデフォルトコンフィギュレーションによってサポートされていなかった場合には、別のコンフィギュレーションデータからデータを読み取り、前記スマートカードが、前記別のコンフィギュレーションデータから読み取ったデータによってサポートされているか否かを確認し、
前記スマートカードが前記別のコンフィギュレーションデータによってサポートされていた場合には、前記別のコンフィギュレーションデータから読み取った前記データを用いて、前記スマートカードから認証に関連するデータを読み取り、
前記スマートカード認証プロセス及び前記スマートカードから読み取った認証に関連する前記データを用いて、前記スマートカードを認証しようとする
ように構成されることを特徴とするスマートカード認証装置。
【請求項２】
前記別のコンフィギュレーションデータが、当該スマートカード認証装置にローカルに格納されている
ことを特徴とする請求項１記載のスマートカード認証装置。
【請求項３】
前記別のコンフィギュレーションデータが、XMLフォーマットのデータを有する
ことを特徴とする請求項１記載のスマートカード認証装置。
【請求項４】
前記別のコンフィギュレーションデータが、テキストファイルを有する
ことを特徴とする請求項１記載のスマートカード認証装置。
【請求項５】
前記別のコンフィギュレーションデータが、ローカルユーザ認証に関連するデータを含む
ことを特徴とする請求項１記載のスマートカード認証装置。
【請求項６】
前記別のコンフィギュレーションデータが、サーバーベース認証に関連するデータを含む
ことを特徴とする請求項１記載のスマートカード認証装置。
【請求項７】
前記別のコンフィギュレーションデータが、ローカルユーザ認証及びサーバーベース認証の双方に関連するデータを含む
ことを特徴とする請求項１記載のスマートカード認証装置。
【請求項８】
前記別のコンフィギュレーションデータが、編集可能である
ことを特徴とする請求項１記載のスマートカード認証装置。
【請求項９】
前記別のコンフィギュレーションデータが、暗号化される
ことを特徴とする請求項１記載のスマートカード認証装置。
【請求項１０】
当該スマートカード認証装置が、
前記スマートカードが成功裏に認証されなかった場合に、前記スマートカード認証プロセスを実行する装置に通信可能に結合される印刷装置の複数の機能に対するアクセスを制限するよう構成される
ことを特徴とする請求項１記載のスマートカード認証装置。
【請求項１１】
当該スマートカード認証装置が、前記別のコンフィギュレーションデータを表示及び編集するためのウェブベースインターフェースを用意するよう構成される
ことを特徴とする請求項１記載のスマートカード認証装置。
【請求項１２】
前記スマートカードから読み取った認証に関する前記データが、ディジタル署名を有する
ことを特徴とする請求項１記載のスマートカード認証装置。
【請求項１３】
前記スマートカードから読み取った認証に関する前記データが、LDAPデータを有する
ことを特徴とする請求項１記載のスマートカード認証装置。
【請求項１４】
当該スマートカード認証装置が、前記スマートカードからの認証に関連するデータへのアクセス前に、セキュリティコードの入力を要求するよう構成される
ことを特徴とする請求項１記載のスマートカード認証装置。
【請求項１５】
前記セキュリティコードが、PIN番号である
ことを特徴とする請求項１４記載のスマートカード認証装置。
【手続補正書】
【提出日】平成22年9月24日(2010.9.24)
【手続補正１】
【補正対象書類名】特許請求の範囲
【補正対象項目名】全文
【補正方法】変更
【補正の内容】
【特許請求の範囲】
【請求項１】
参照電圧を入力する入力端子と、
入力回路と、
前記入力回路の入力端と前記入力端子との間に接続される可変抵抗素子と、
前記入力回路の入力端と、半導体装置内の電源線または接地配線との間に接続される容量素子と、
前記可変抵抗素子の抵抗値を制御する抵抗制御回路と、
を備える、ことを特徴とする半導体装置。
【請求項２】
前記可変抵抗素子は、制御端子の電圧が前記抵抗制御回路によって制御される電界効果トランジスタを含む、ことを特徴とする請求項１記載の半導体装置。
【請求項３】
前記抵抗制御回路は、前記可変抵抗素子の抵抗値が、（ａ）前記可変抵抗素子と前記容量素子とで構成される低域通過フィルタの遮断周波数が半導体装置のクロック周波数になるような前記可変抵抗素子における抵抗値、（ｂ）前記容量素子が前記電源配線に接続される場合には参照電圧用配線と前記電源配線とからなる給電網の２次回路が過減衰条件を満たし、前記容量素子が前記接地配線に接続される場合には参照電圧用配線と前記接地配線とからなる給電網の２次回路が過減衰条件を満たすような前記可変抵抗素子における抵抗値、の２値を少なくとも取るように制御する、ことを特徴とする請求項１記載の半導体装置。
【請求項４】
前記抵抗制御回路は、前記半導体装置の動作モードに応じて前記可変抵抗素子の抵抗値を制御する、ことを特徴とする請求項１または２記載の半導体装置。
【請求項５】
前記動作モードは、前記半導体装置に供給されるコマンドによって定められる、ことを特徴とする請求項４記載の半導体装置。
【請求項６】
前記半導体装置は、半導体メモリであり、
前記コマンドは、プリチャージコマンド、リフレッシュコマンド、リードコマンドの少なくともいずれかひとつである、ことを特徴とする請求項５記載の半導体装置。
【請求項７】
前記抵抗制御回路は、前記コマンドの発生に引き続く時間経過に応じて前記可変抵抗素子の抵抗値を制御する、ことを特徴とする請求項５または６記載の半導体装置。
【請求項８】
前記抵抗制御回路は、前記コマンドが第１のコマンド群に含まれる場合には前記コマンドの実行時に前記可変抵抗素子の抵抗値を下げ、前記コマンドが第２のコマンド群に含まれる場合には前記コマンドの実行後の所定時間経過後に一定時間前記可変抵抗素子の抵抗値を下げるように制御する、ことを特徴とする請求項７記載の半導体装置。
【請求項９】
前記抵抗制御回路は、前記コマンドが前記第２のコマンド群に含まれる場合には、前記一定時間の後、前記下げた可変抵抗素子の抵抗値を所定の抵抗値へ戻すように制御する、ことを特徴とする請求項８記載の半導体装置。
【請求項１０】
前記抵抗制御回路は、
前記コマンドが供給されてから前記コマンドが実際に実行されるまでの時間及び前記コマンドが実行されている時間、前記可変抵抗素子の抵抗値を所定の抵抗値から下げ、
前記コマンドの実行が終了した後、前記抵抗値を前記所定の抵抗値へ戻す、ことを特徴とする請求項５記載の半導体装置。
【請求項１１】
前記半導体装置は、半導体メモリであり、
前記コマンドは、プリチャージコマンド、リフレッシュコマンドの少なくともいずれかひとつである、ことを特徴とする請求項１０記載の半導体装置。
【請求項１２】
前記抵抗制御回路は、
少なくとも前記コマンドが供給されてから前記コマンドが実行されている時間、前記可変抵抗素子の抵抗値を所定の抵抗値とし、
前記コマンドの実行が終了した後から所定時間後に、前記抵抗値を前記所定の抵抗値から下げ、
前記所定時間後から更に所定時間後に、前記抵抗値を前記所定の抵抗値へ戻す、ことを特徴とする請求項５記載の半導体装置。
【請求項１３】
前記半導体装置は、半導体メモリであり、
前記コマンドは、リードコマンドである、ことを特徴とする請求項１２記載の半導体装置。
【手続補正書】
【提出日】平成22年2月12日(2010.2.12)
【手続補正１】
【補正対象書類名】特許請求の範囲
【補正対象項目名】全文
【補正方法】変更
【補正の内容】
【特許請求の範囲】
【請求項１】
前縁および後縁を有する所定材料の本体と、
内壁および外壁を備え、前記材料の本体の表面から延びた第１レールおよび第２レールと、を備え、前縁に最も近い前記第１レールの前記外壁の部分が後縁に最も近い前記第１レールの前記外壁部分よりも中心軸線に近くなるよう、前記第１レールの前記外壁が前記バニシングヘッドの中心軸線に対して所定の角度となっており、前縁に最も近い前縁第２レールの前記外壁部分のほうが、後縁に最も近い前記第２レールの前記外壁部分よりも中心軸線に近くなるよう、前記第２レールの前記外壁が中心軸線に対して所定の角度となっており、
前記レールの高さが、３０μｍよりも高く、前記少なくとも１つのレールの少なくとも１つの壁が、前記材料の本体の前記表面の平面に対して、前記平面から、前記レールを通って、前記壁まで測定されるとき、７５〜９０°の角度をなし、前記第１レールおよび第２レールの前記外壁と、前記第１レールおよび第２レールのバニシング表面との間の曲率半径が、０．０１２７ｍｍ（０.５ミル）未満であるバニシングヘッド。
【請求項２】
前記外壁と前記中心軸線との間の角度の各々が、約５〜２５°の間にある請求項１記載のバニシングヘッド。
【請求項３】
前記第１レールおよび第２レールは、前記バニシングヘッドの飛行性を高めるために前記中心軸線に対して対称的となっている請求項１記載のバニシングヘッド。
【請求項４】
前縁および後縁を有する、所定材料の本体と、
前記所定材料の本体から延びている第１レールおよび第２レールと、を備え、
前記第１レールおよび第２レールが内壁および外壁を備え、
前縁に最も近い前記第１レールの前記外壁の部分が後縁に最も近い前記第１レールの前記外壁部分よりも中心軸線に近くなるよう、前記第１レールの前記外壁が前記バニシングヘッドの中心軸線に対して所定の角度となっており、
前縁に最も近い前記第２レールの前記外壁部分のほうが、後縁に最も近い前記第２レールの前記外壁部分よりも中心軸線に近くなるよう、前記第２レールの前記外壁が中心軸線に対して所定の角度となっており、
前記レールの高さが、３０μｍよりも高く、前記第１レールおよび第２レールの前記外壁と、前記第１レールおよび第２レールのバニシング表面との間の曲率半径が、０．０１２７ｍｍ（０.５ミル）未満であるバニシングヘッド。
【請求項５】
磁気ディスクをバニス仕上げするための方法であって、
前記磁気ディスクを回転させるステップと、
前記磁気ディスクの上にバニシングヘッドを飛行させるステップと、を備え、
前記バニシングヘッドが、所定材料の本体と、前記所定材料の本体の表面から延びた第１レールおよび第２レールとを備え、前記第１レールおよび前記第２レールが内壁および外壁を備え、前記前縁に最も近い前記第１レールの前記外壁の部分が後縁に最も近い前記第１レールの前記外壁部分よりも中心軸に近くなるよう、前記第１レールの前記外壁が前記バニシングヘッドの中心軸に対して所定の角度となっており、前縁に最も近い前縁第２レールの前記外壁部分のほうが、後縁に最も近い前記第２レールの前記外壁部分よりも中心軸線に近くなるよう、前記第２レールの前記外壁が、中心軸線に対して所定の角度となっており、
前記レールの高さが、３０μｍよりも高く、前記少なくとも１つのレールの少なくとも１つの壁が、前記表面の平面に対して、前記平面から、前記レールを通って、前記少なくとも１つの壁まで測定されるとき、７５〜９０°の角度をなし、前記第１レールおよび第２レールの前記外壁と、前記第１レールおよび第２レールのバニシング表面との間の曲率半径が、０．０１２７ｍｍ（０.５ミル）未満である方法。
【請求項６】
前記外壁と前記中心軸線との間の角度の各々が、約５〜２５°の間にある請求項５記載の方法。
【請求項７】
前記第１レールと前記第２レールとが、前記バニシングヘッドの飛行性を高めるよう、前記中心軸線に対して対称的となっている、請求項５記載の方法。
【請求項８】
磁気ディスクをバニス仕上げするための方法であって、
前記磁気ディスクを回転させるステップと、
前記磁気ディスクの上にバニシングヘッドを飛行させるステップと、を備え、
前記バニシングヘッドが、所定材料の本体と、前記所定材料の本体の表面から延びた第１レールおよび第２レールとを備え、前記第１レールおよび前記第２レールが内壁および外壁を備え、前記前縁に最も近い前記第１レールの前記外壁の部分が後縁に最も近い前記第１レールの前記外壁部分よりも中心軸に近くなるよう、前記第１レールの前記外壁が前記バニシングヘッドの中心軸に対して所定の角度となっており、前縁に最も近い前縁第２レールの前記外壁部分のほうが、後縁に最も近い前記第２レールの前記外壁部分よりも中心軸線に近くなるよう、前記第２レールの前記外壁が、中心軸線に対して所定の角度となっており、
前記レールの高さが、３０μｍよりも高く、前記第１レールおよび第２レールの前記外壁と、前記第１レールおよび第２レールのバニシング表面との間の曲率半径が、０．０１２７ｍｍ（０.５ミル）未満である方法。
【請求項９】
所定材料の本体と、
前記所定材料の本体の表面から３０μｍよりも長い距離延びている第１レールおよび第２レールを備え、前記第１レールおよび第２レールが内壁および外壁を備え、前記外壁のうちの少なくとも１つが、前記バニシングヘッドの中心軸線に対して所定の角度となっており、前記外壁のうちの少なくとも１つが、前記材料の本体の表面の平面に対して、前記平面から、前記レールを通って、前記外壁まで測定されるとき、７５〜９０°の角度をなし、前記第１レールおよび第２レールの前記外壁と、前記第１レールおよび第２レールのバニシング表面との間の曲率半径が、０．０１２７ｍｍ（０.５ミル）未満であるバニシングヘッド。
【請求項１０】
前記磁気ディスクを回転させるステップと、
前記磁気ディスクの上にバニンシングを飛行させるステップと、を備え、
前記バニシングヘッドが所定材料の本体と、
前記所定材料の本体の表面から３０μｍよりも長い距離延びている第１レールおよび第２レールを備え、前記第１レールおよび第２レールは内壁および外壁を備え、前記外壁のうちの少なくとも１つが前記バニシングヘッドの中心軸線に対して所定の角度となっており、前記第１レールおよび第２レールのうち少なくとも１つの外壁が前記材料の本体の前記表面の平面に対して、前記平面から、前記レールを通って、前記外壁まで測定されるような、７５〜９０°の角度をなし、前記第１レールおよび第２レールの前記外壁と、前記第１レールおよび第２レールのバニシング表面との間の曲率半径が、０．０１２７ｍｍ（０.５ミル）未満である、磁気ディスクをバニス仕上げする方法。
【請求項１１】
前記所定材料の本体はAlTicからなる請求項１，４又は９に記載のバニシングヘッド。
【請求項１２】
前記所定材料の本体はAlTicからなる請求項５，８又は１０に記載の方法。
【手続補正書】
【提出日】平成22年3月31日(2010.3.31)
【手続補正１】
【補正対象書類名】特許請求の範囲
【補正対象項目名】全文
【補正方法】変更
【補正の内容】
【特許請求の範囲】
【請求項１】
長手方向に配置された一対の縦板と短手方向に配置された一対の横板とによって構成され、縦長矩形状に形成された外枠と、
前記外枠の前面の一側に軸支されて開閉自在に設けられた本体枠と、
前記本体枠に収容され、遊技球が流下可能な遊技領域を有する遊技演出ユニットと、
前記遊技演出ユニットの後方に設けられ、制御基板を収納する基板ボックスと、を備え、
前記本体枠は、前記一対の縦板のそれぞれの内壁に近接して設けられる一対の薄肉状の本体枠側壁部、前記一対の横板のうち上側の横板の内壁に近接して設けられる薄肉状の本体枠上壁部、並びに、前記本体枠側壁部および前記本体枠上壁部の後端に形成される後壁部を有すると共に、 
前記本体枠側壁部および前記本体枠上壁部は、前記外枠の前面からその後面を超える後方位置まで略立設されることにより、内側に大収容空間を形成する壁体として構成されており、
前記遊技演出ユニットは、
前記遊技領域が形成され、透明部を有する遊技板部と、
略中央に開口部が形成され、前記遊技板部の裏面側において当該遊技板部との間に三次元の広域演出領域を形成すると共に、前記開口部の外周であって且つ当該広域演出領域内に発光装飾体が配置される裏ユニットと、
前記遊技板部と一定の距離を隔てた後方に位置する前記開口部に当該遊技板部と略平行に配置されて、所定の演出画像図柄が変動表示される演出画像表示手段と、
を少なくとも有しており、
前記後壁部には、前記基板ボックスを含む前記遊技演出ユニット背面の略全域が臨むようにして開口部が形成されると共に、
前記開口部を覆う裏カバーが、前記後壁部の後面の一側に開閉可能に軸支されている
ことを特徴とする遊技機。
【請求項２】
前記本体枠側壁部は、
前記外枠に対向配置される部分と当該部分から後方へ延設される部分とが一体成形されて、前記遊技演出ユニットを側方から覆う被覆部として機能する
請求項１に記載の遊技機。
【請求項３】
前記本体枠側壁部は、
その後端が、内側方向に延設されて前記遊技演出ユニットの後面に位置する
請求項１または請求項２に記載の遊技機。
【手続補正書】
【提出日】平成22年5月12日(2010.5.12)
【手続補正１】
【補正対象書類名】特許請求の範囲
【補正対象項目名】全文
【補正方法】変更
【補正の内容】
【特許請求の範囲】
【請求項１】
前面に遊技領域を有する遊技盤と、
操作ハンドルの操作に対応して遊技媒体を発射する発射装置と、
該発射装置から発射された遊技媒体を前記遊技領域の左上部分に案内し、当該部分から前記遊技領域内へ遊技媒体を放出させる案内レールと、
前記遊技領域の略中央部分に配置され額縁状に形成された枠状装飾体と、
前記遊技領域における左右方向の中央付近またはそれよりも左側に配置され遊技媒体が常時入賞可能な第一始動口と、
前記遊技領域内における前記枠状装飾体の右側または右下側に配置され遊技媒体が開放時に入賞可能となる第二始動口と、
前記第一始動口または前記第二始動口に遊技媒体が入賞したことに基づいて大当り抽選を行う大当り抽選手段と、
前記遊技領域内における前記枠状装飾体の右側または右下側に配置され、所定の開閉動作を行い、閉状態から開状態に変化することで遊技媒体が入賞可能となる開閉入賞装置と、
前記大当り抽選手段の抽選結果が当りの場合、前記開閉入賞装置の開閉動作を行うことで遊技者に利益を付与する利益付与手段と、
前記遊技領域内における前記枠状装飾体の右側または右下側に配置され遊技媒体が通過可能な通過ゲートと、
該通過ゲートに遊技媒体が通過したことに基づいて普通抽選を行う普通抽選手段と、
該普通抽選手段の抽選結果が当りの場合、前記第二始動口を所定時間開放する開放制御手段と、
前記利益付与手段によって遊技者に前記利益を付与した後、前記第二始動口に対し前記遊技媒体の入賞が可能な状態へと変化させる頻度を高く設定した時短遊技状態とする時短状態設定手段と、
前記遊技領域を前記第一始動口が設けられる第一遊技領域とその他の第二遊技領域とに区画形成するとともに、前記第二遊技領域から前記第一遊技領域への遊技媒体の流動を困難にする領域区画手段と、
前記第一遊技領域の流下端に配置され、前記枠状装飾体の左側を通って流下した遊技媒体を前記第一遊技領域から排出可能とする第一アウト口と、
前記第二遊技領域の流下端に配置され、前記枠状装飾体の右側を通って流下した遊技媒体を前記第二遊技領域から排出可能とする第二アウト口と、を備えることを特徴とする遊技機。
【請求項２】
前記領域区画手段は、
前記第一始動口と前記第二始動口との間に配置され、前記第二始動口の上方の領域から前記第一始動口の上方の領域への遊技媒体の流動を困難にする障害部材と、
前記第二始動口の下部から下方に延出して形成され、前記第二始動口の下方の領域を通って遊技媒体が転動することを阻止する通過阻止部材と、を備えることを特徴とする請求項１記載の遊技機。
【請求項３】
前記利益付与手段は、
前記開閉入賞装置の一回当りの開放時間を、数個の遊技媒体が辛うじて入賞できる程度の第一所定時間とするとともに、前記開閉入賞装置の開閉動作を少なくとも一回以上行うことで、遊技者に所定の利益を付与する所定利益付与手段と、
前記開閉入賞装置の一回当りの開放時間を、複数個の遊技媒体がゆとりを持って入賞できる程度の第二所定時間とするとともに、前記開閉入賞装置の開閉動作を、前記所定の利益を付与する場合の開閉動作の回数よりも多く行うことで、遊技者に前記所定の利益よりも利益価値の高い特定の利益を付与する特定利益付与手段と、を備え、
前記大当り抽選手段は、前記第二始動口に遊技媒体が入賞したことに基づく前記大当り抽選を行うにあたり、前記第一始動口に遊技媒体が入賞したことに基づく前記大当り抽選よりも判定結果が当りのうち前記特定の利益を付与する当りとなる割合が高いことを特徴とする請求項１または請求項２に記載の遊技機。
【手続補正書】
【提出日】平成22年5月12日(2010.5.12)
【手続補正１】
【補正対象書類名】特許請求の範囲
【補正対象項目名】全文
【補正方法】変更
【補正の内容】
【特許請求の範囲】
【請求項１】
遊技領域内に配置され遊技媒体が入賞可能な始動口と、
該始動口に遊技媒体が入賞したことを検出する入賞状態検出手段と、
該入賞状態検出手段による前記遊技媒体の検出に基づいて抽選を行う抽選手段と、
遊技の進行に伴う遊技状態および前記抽選手段の抽選結果に関する演出画像を表示する演出表示装置と、
所定の開閉動作を行い、閉状態から開状態に変化することで前記遊技媒体が入賞可能となる開閉入賞装置と、
該開閉入賞装置の一回当りの開放時間を、複数個の遊技媒体がゆとりを持って入賞できる程度の所定時間とするとともに、前記開閉入賞装置の開閉動作を複数回行うことで、遊技者に特定の利益を付与する特定利益付与手段と、
前記抽選手段の抽選結果が第一結果の場合、前記特定利益付与手段によって遊技者に前記特定の利益を付与するとともに、その後の抽選において少なくとも前記特定の利益が付与される確率を通常時よりも高く設定した確率変動状態とする有利遊技状態を付与する第一有利遊技状態制御手段と、
前記抽選手段の抽選結果が第二結果の場合、前記特定利益付与手段によって遊技者に前記特定の利益を付与するものの、前記確率変動状態を発生させることのない有利遊技状態を付与する第二有利遊技状態制御手段と、
前記抽選手段の抽選結果が第一結果または第二結果の場合、前記演出表示装置に前記特定の利益を付与する旨を表示するものの、前記確率変動状態を発生させるか否かの演出画像を表示させない遊技状態非通知手段と、
前記確率変動状態に対する期待度が互いに異なる期待大流入口及び期待小流入口を含む複数の流入口を有し、前記開閉入賞装置に入賞した遊技媒体をいずれかの前記流入口に振分けて前記確率変動状態の期待度を示唆する振分演出装置と、
前記抽選手段の抽選結果が第一結果の場合には、前記開閉入賞装置に入賞した遊技媒体が向かう流入口として前記複数の流入口の中から前記期待大流入口を高い割合で選択する一方、前記抽選手段の抽選結果が第二結果の場合には、前記開閉入賞装置に入賞した遊技媒体が向かう流入口として前記複数の流入口の中から前記期待小流入口を高い割合で選択する流入口選択手段と、
該流入口選択手段が前記期待大流入口を選択した場合には、前記期待大流入口に向かう遊技媒体が前記期待大流入口に高い割合で到達する一方、前記流入口選択手段が前記期待小流入口を選択した場合には、前記期待小流入口に向かう遊技媒体が前記期待小流入口に高い割合で到達する流入口振分手段と、を備えることを特徴とする遊技機。
【請求項２】
前記振分演出装置の動作開始に先立って、前記複数の流入口の中から前記期待大流入口として割り当てられる流入口を抽選に基づいて決定する位置選択手段と、
該位置選択手段によって決定された前記流入口の種別を遊技者に通知する通知手段と、をさらに備えることを特徴とする請求項１記載の遊技機。
【請求項３】
遊技者が操作可能な操作手段と、
前記操作手段の操作を検出する操作検出手段と、をさらに備え、
前記通知手段は、前記操作検出手段による前記操作手段の検出に基づいて、前記位置選択手段によって決定された前記流入口の種別を遊技者に通知することを特徴とする請求項２記載の遊技機。
【手続補正書】
【提出日】平成22年5月14日(2010.5.14)
【手続補正１】
【補正対象書類名】特許請求の範囲
【補正対象項目名】全文
【補正方法】変更
【補正の内容】
【特許請求の範囲】
【請求項１】
遊技盤の前面に形成され、発射手段から発射された遊技球が打ち込まれる遊技領域と、該遊技領域に設けられた始動口と、該始動口に遊技球が入球したことに基づいて遊技者に所定の利益を付与する利益付与状態に制御するか否かを判定する利益付与判定手段と、該利益付与判定手段の判定がなされたことに基づいて複数種類の図柄情報の変動表示を開始して所定期間経過後に所定の表示結果を導出表示する表示手段と、を備え、前記利益付与判定手段により前記利益付与状態に制御すると判定されたことに基づいて前記表示手段に特定表示結果を導出表示する遊技機において、
前記表示手段を制御して前記図柄情報の変動表示を実行する表示制御手段と、
前記遊技領域に設けられ、遊技球の受け入れが容易な開放状態と遊技球の受け入れが困難な閉塞状態とに変化可能な特定開閉手段と、
該特定開閉手段に遊技球が入球したことに基づいて所定の景品球を払い出す景品玉払出手段と、
前記表示手段に前記特定表示結果が導出表示されたことに基づいて前記特定開閉手段を開閉制御して前記利益付与状態に制御する利益付与状態制御手段と、
前記利益付与判定手段によって前記利益付与状態に制御すると判定されたときに遊技者に付与される利益が異なる複数種類の利益付与状態のうちいずれかに決定する利益種類決定手段と、を備え、
前記利益付与状態制御手段は、前記利益種類決定手段によって前記複数種類の利益付与状態のうち高利益付与状態に決定されたことに基づいて遊技球の入球が容易な態様で前記特定開閉手段を開閉制御して前記利益付与状態に制御し、前記利益種類決定手段によって低利益付与状態に決定されたことに基づいて遊技球の入球が困難な態様で前記特定開閉手段を開閉制御して前記利益付与状態に制御し、
前記表示制御手段は、
前記図柄情報の制御状態を把握することが困難な態様で前記図柄情報の表示制御を実行し、
前記利益種類決定手段によって前記高利益付与状態に決定されたとき、前記利益付与状態制御手段による前記利益付与状態の制御を開始する以前に前記高利益付与状態に制御することを通知する特別演出表示を実行し、
前記利益種類決定手段によって前記低利益付与状態に決定されたとき、前記低利益付与状態に制御することを通知することなく、少なくとも前記利益付与状態制御手段による前記利益付与状態の制御を実行中に所定の演出表示の実行を示唆する特定演出表示を実行し、
前記利益付与判定手段によって前記利益付与状態に制御すると判定されなかったとき、予め決められた所定条件が成立していることを条件に前記特定演出表示と同様の演出表示を、前記特定演出表示の実行期間と略同一期間で実行することを特徴とする遊技機。
【請求項２】
所定の昇格条件が成立したことに基づいて前記利益付与判定手段によって前記利益付与状態に制御すると判定される確率が高い高確率状態に制御し、所定の降格条件が成立したことに基づいて前記利益付与判定手段によって前記利益付与状態に制御すると判定される確率が前記高確率状態よりも低い低確率状態に制御する確率変更手段をさらに備え、
前記利益種類決定手段は、前記低利益付与状態として前記確率変更手段によって前記利益付与状態の終了後に前記高確率状態に制御する第１低利益付与状態と前記利益付与状態の終了後に前記低確率状態に制御する第２低利益付与状態とのいずれかに決定し、
前記表示制御手段は、前記利益種類決定手段によって前記第１低利益付与状態に決定されたことに基づいて前記特定演出表示を実行した後、前記確率変更手段によって前記低確率状態に制御していることを条件に前記所定の演出表示として前記高確率状態に制御することを示唆する昇格示唆演出を実行し、前記利益種類決定手段によって前記第２低利益付与状態に決定されたことに基づいて前記特定演出表示を実行した後、前記確率変更手段によって前記高確率状態に制御していることを条件に前記所定の演出表示として前記低確率状態に制御することを示唆する降格示唆演出を実行することを特徴とする請求項１記載の遊技機。
【請求項３】
前記表示手段に前記特定表示結果が導出表示されたことに基づいて前記表示制御手段による前記図柄情報の変動表示を規制し、前記利益付与状態制御手段による前記利益付与状態の制御を終了したことに基づいて前記規制を解除する変動規制手段をさらに備え、
前記表示制御手段は、
前記利益種類決定手段によって前記第１低利益付与状態に決定されたことに基づいて前記特定演出表示を実行し、前記確率変更手段によって前記高確率状態に制御している場合には前記変動規制手段によって前記規制を解除する以前に前記昇格示唆演出を実行し、
前記利益種類決定手段によって前記第２低利益付与状態に決定されたことに基づいて前記特定演出表示を実行し、前記確率変更手段によって前記高確率状態に制御している場合には前記変動規制手段によって前記規制を解除する以前に前記降格示唆演出を実行することを特徴とする請求項２記載の遊技機。
【手続補正書】
【提出日】平成22年5月12日(2010.5.12)
【手続補正１】
【補正対象書類名】特許請求の範囲
【補正対象項目名】全文
【補正方法】変更
【補正の内容】
【特許請求の範囲】
【請求項１】
前面に遊技領域を有する遊技盤と、
前記遊技領域の略中央部分に配置され額縁状に形成された枠状装飾体と、
遊技の進行に伴う遊技状態および抽選結果に関する演出画像を、少なくとも前記枠状装飾体の開口部を通じて視認可能に表示する演出表示装置と、
前記枠状装飾体の外側に開口したワープ入口、及び前記枠状装飾体の内側に開口したワープ出口を有し、前記ワープ入口及び前記ワープ出口を連通するワープ通路と、
前記枠状装飾体の下縁部における上面のうち左右いずれか一方の側且つ前記演出表示装置の前方に配置され、前記ワープ通路を通って前記枠状装飾体内に入球した遊技媒体を左右方向または斜め左右方向に転動させる転動面を備えたステージと、
前記枠状装飾体の下方の前記遊技領域に配置され、前記ステージを通過した遊技媒体を容易に入賞可能とする始動口と、
該始動口に遊技媒体が入賞したことを検出する入賞状態検出手段と、
該入賞状態検出手段による前記遊技媒体の検出に基づいて抽選を行う抽選手段と、
前記枠状装飾体の外側に開口した大入賞口を有し、所定の開閉動作を行い、前記大入賞口を閉状態から開状態に変化することで前記遊技媒体が入賞可能となる開閉入賞装置と、
前記抽選手段の抽選結果が当りの場合、前記開閉入賞装置の一回当りの開放時間を、複数個の遊技媒体がゆとりを持って入賞できる程度の所定時間とするとともに、前記開閉入賞装置の開閉動作を、複数回行うことで、遊技者に特定の利益を付与する特定利益付与手段と、
前記上面のうち左右いずれか他方の側且つ前記演出表示装置の前方に配置され、前記ステージにおける遊技媒体の転動と関連付けることなく前記開閉入賞装置に入賞した遊技媒体を用いた演出を行う演出装置と、を備えることを特徴とする遊技機。
【請求項２】
前記遊技領域に配置され、前記始動口に遊技媒体が常時入賞可能である一方、遊技媒体が開放時に入賞可能となる特別始動口と、
該特別始動口に遊技媒体が入賞したことを検出する特別入賞状態検出手段と、
前記枠状装飾体の外側に開口した出入口を有し、遊技媒体が通過可能な通過ゲートと、
該通過ゲートに遊技媒体が通過したことを検出する通過検出手段と、
該通過検出手段による前記遊技媒体の検出に基づいて普通抽選を行う普通抽選手段と、
該普通抽選手段の抽選結果が当りの場合、前記特別始動口を所定時間開放する開放制御手段と、をさらに備え、
前記抽選手段は、前記入賞状態検出手段とともに前記特別入賞状態検出手段による前記遊技媒体の検出に基づいて抽選を行うことを特徴とする請求項１記載の遊技機。